(57)【要約】【課題】  家屋内に居て地震などによる家屋が倒壊するような災害に見舞われても身を護れる場所（シェルター）を確保する。【解決手段】  本来身の安全を確保しうるシェルター空間を備えている一般用途のテーブルや二段ベッドなどの家具を含めシェルターの要所に高強度繊維シートを貼付けるという方法により耐震強化を図り、これら家具が地震による家屋の倒壊などのような機械的衝撃を受けても破断することなく人身災害を免れるようにする。【選択図】  図１
2015211769.tif 000002
【特許請求の範囲】
【請求項１】
建築物以外の工作物であって高強度繊維シートを貼付けたことを特徴とするシェルター
【請求項２】
天板及び／又は脚に高強度繊維シートを貼付けたことを特徴とする請求項１に記載のシェルター型テーブル
【請求項３】
支柱及び／又は天板又は床板に高強度繊維シートを貼付けたことを特徴とする請求項１に記載のシェルター型ベッド
【発明の詳細な説明】
【技術分野】
【０００１】
本発明は、家屋内に置かれ地震などによる機械的衝撃を受けてもシェルターとして身の安全を護り得る空間を備える工作物に関するものである。
【背景技術】
【０００２】
阪神淡路大震災や東日本大震災などの甚大な地震被害を受けたことなどから、近く発生の予測される首都直下型地震や南海地震などに備えることが大きな社会的課題となっている。  地震の規模が大きいと家屋も倒壊し圧死などの人身災害も多数生じることから、最近建物の耐震性能の改善が義務化され国や自治体の支援により浸透しつつあるが、家屋内にシェルターを設置するなどの対策商品も市場に流通してきている。
【０００３】
建物としては耐震性能を向上させるために壁や筋交を設置する、柱を強化する、柱や梁などの結合部に補強用金物を追加する、などの方法が採用されているが個人負担も大きくなり勝ちである。  片や、シェルターは部屋の中に耐震補強した家を設けるかのように柱や梁、天井に相当する部位を有する工作物として設置し機械的な衝撃を受けても破断することなくシェルター空間を保持し続けられるようにするという考え方に基づいており、昨今では防災ベッドと名の付くものを含め、比較的廉価なものが流通してきている。  また一般用途のテーブルのようなシェルターとなりうる空間を備えた工作物も転倒防止や滑り防止あるいは脚の追加などの地震対策商品が実用化されている。
【発明の概要】
【発明が解決しようとする課題】
【０００４】
家屋の耐震性能を向上させるのに比べてより少ない費用で人身災害を防ぐ手段がシェルターと言えるが、テーブルなどと比べて柱や梁、天井などに相当する部位は太く厚くせざるを得ず、そのために設置面積に対するシェルター空間をさほど広くし難い、また使用部材料が多くなることにより価格も高くなり易く、さらに接合部位には接合のための小さくない部材を用いて補強するなどしているためシェルターへの出入りの際に該部材が邪魔になり勝ちである。
【０００５】
また一般用途のテーブルに前記対策を施したものは、地震による揺れの影響を押えようとするものが主流であり、基本的に機械的衝撃に対する耐力を大きく向上させるものはなく、テーブル下の空間内に身を置いたとしても家屋倒壊時の人身災害のリスクは高いと言える。
【０００６】
本発明は、こうした事情に鑑みてなされたもので、家屋倒壊などの機械的衝撃を受けても破断することなく、設置場所においても内部が広く取れ出入りの支障が無く比較的廉価なシェルターを提供し、さらに一般用途のテーブルや二段ベッドのような本来シェルターとなりうる空間を備えている家具にあっても補強することにより耐震性能を向上させることができ、家屋倒壊などの機械的衝撃を受けても破断することなくシェルター空間を保持し続け、圧死のような人身災害を免れることのできるシェルターを提供することを目的としている。
【課題を解決するための手段】
【０００７】
請求項１に記載の屋内用シェルターは、近年優れた引張強度性能や耐熱性能などが評価されコンクリートの建築物や橋の補強などに用いられるパラ系アラミド繊維、炭素繊維、PBO（ポリパラフェニレンベンズオキサゾール）繊維などの高強度繊維をシート状に形成した高強度繊維補強材を、簡素化された施工方法によってその要所に貼付け固定されるようにすることを特徴とする。
【０００８】
請求項２に記載のシェルター型テーブルは、前記段落０００７に記載の高強度繊維補強材を、簡素化された施工方法によってその要所に貼付け固定されるようにすることを特徴とする。
【０００９】
請求項３に記載のシェルター型二段ベッドは、前記段落０００７に記載の高強度繊維補強材を、簡素化された施工方法よってその要所に貼付け固定されるにようにすることを特徴とする。
【発明の効果】
【００１０】
以上説明したように、本発明の繊維補強シェルターは、要所の強度を上げるために特段に太くあるいは厚くしたり大きな接合部補強部材を用いたりする必要がなく、本発明以外のシェルターと比較してシェルター空間内を広くまた出入り口も広く取れる上に構成材の使用量も少なくて済むことから廉価にできるという利点がある。  しかもこれによって耐震性能が落ちるということはない。
【００１１】
またテーブルや二段ベッドなどの本来シェルターとなりうる空間を備えた工作物も同様に要所の強度を上げるために特段大きくあるいは太くするようなことは不要なため、本発明による耐震補強方法を施したとしても本来のテーブルあるいは二段ベッドとしての使用にはほとんど支障がない。  本発明に加えて一般化されている転倒防止、滑り防止、移動防止などのアイデアを生かせば効果をより大きなものにすることができる。
【００１２】
本発明で使用するパラ系アラミド繊維シート、炭素繊維シートあるいはPBO繊維シートなどの高強度繊維シートは、しなやかでありながら引張強度に優れた繊維の糸を多数本束ねたものをいくつかの方法で編んだもので、その編み方や束ね方などにより引張強度の異なる商品が流通している。  さらにこれらシートは鋏などで任意の大きさに簡単に切ることができて多層貼りも容易である、という加工性の高さも有している。  このため、剛性がそれほど高くない比較的安価な構成材でできている家具の場合でも、該シートの選定及び貼付け方により、家屋倒壊などの大きな機械的衝撃を受けても破断しない強度を持たせることができる。
【図面の簡単な説明】
【００１３】
【図１】従来のシェルターの一例を示す図であり図２との比較のために用いる。
【図２】パラ系アラミド繊維シートを貼付け固定したシェルターの例である。
【図３】パラ系アラミド繊維シートを貼付け固定したシェルター型テーブルの例である。
【図４】図３の天板９と脚１１との接合部の補強に用いるパラ系アラミド繊維シート小片を該シートから切り取るための平面図である。
【図５】図４で切り取った小片を図３の天板９と脚１１との各接合部に貼るための立体図である。
【図６】パラ系アラミド繊維シートを貼付け固定したシェルター型二段ベッドの例である。
【図７】図６の床板１４と支柱１５との接合部の補強に用いるパラ系アラミド繊維シート小片を該シートから切り取るための平面図である。
【図８】図７で切り取った小片を図６の床板１４と支柱１５との各接合部に貼るための立体図である。
【発明を実施するための形態】
【００１４】
以下に、本発明を実施するための最良の形態を、図面を用いて説明する。
【実施例１】
【００１５】
図１は現在流通しているシェルターの一例Ａを示したものである。  これに対比させて本発明による実施例のシェルターＢを図２で説明する。  図２は解り易くするために上下を逆にして下方より見た図にしてある。
【００１６】
図１では各部を補強するために天井板１を厚くし幕木４も柱３もともに太くし、それらの接合部に接合部補強材５を追加し各部材間を接合強化金物６で緊結しさらに各部材間を固定用ネジ７を用いて固定している。  各部材の容積を大きくしているにも拘わらず接合強化金物６用の固定ネジ７などを多用することで構成材を傷め強度面でのマイナス要因となっている。  さらに接合部補強材５は天井板１近くでは幅が広くなりシェルターにはいる際の邪魔になり易い。
【００１７】
これに対して図２に示す本発明のシェルターＢは、強度の要求されるところを太く厚くする代わりに高強度繊維シート小片８ａ、８ｂ、８ｃ、８ｄ及び８ｅを貼付け固定している。  高強度繊維シート小片８ａ、８ｂ、８ｃ、８ｄ及び８ｅを貼る部分を斜線部などとして示す。  柱３は座屈を防止する目的があるため柱３全体が隠れるように柱３の全表面に高強度繊維シート小片８ａ、８ｂ、８ｃ及び８ｄを貼っている。  高強度繊維シート小片８ｃ及び８ｄは非常に長く幕木４の下面にもつながりコの字型になるように貼り、脚３と天井板１を支える幕木４及び接合部分の両方の補強の役割を果たしている。  天井板１の補強には高強度繊維シート小片８ｅをその下面に数箇所貼って補強している。
【００１８】
この他の部位に高強度繊維シートを貼ることはさらなる耐震性能を向上させることにつながる。  いづれの場合でも高強度繊維シート小片８ａ、８ｂ、８ｃ、８ｄ及び８ｅを貼る場合は弛みやヨレのないようにまっすぐに貼ることが重要である。
【００１９】
図２に示す以外に幕木４を含む天井板１と柱３との接合部分の強度をさらに上げる方法として高強度繊維シートを多層貼りにする方法がある。  これは図２では該シートが柱３に沿って貼られているが、さらにその上から接合部を含めて多層貼りにする方法が考えられる。  高強度繊維シートは任意の大きさ、形に切り取れるため、補強対象部分の形状大きさに合せて上から多層貼りすることができる。  ただし、コストパフォーマンスからは３層程度内が好ましい。
【００２０】
使用する高強度繊維シートとして好ましくは、目付200〜600g/m2程度、引張強度2000N/mm2以上、伸度5％以下、融点400℃以上、のものを使用することである。  実施例はパラ系アラミド繊維シートを用いているが、他の繊維シートであってもこのような条件を満たしていれば実施例と同様に扱ってよいと考えられる。
【００２１】
次にパラ系アラミド繊維シートを貼り付ける方法を順に説明する。  まず、ａ）パラ系アラミド繊維シートから貼り付ける場所に合った形状長さの小片を鋏などを用いて必要量切り取り用意しておく。  ｂ）主剤と硬化剤とを所定の混合割合にして混ぜ合わせる。  ｃ）混ぜ合わせた液剤を対象箇所に脱泡ローラー刷毛などで塗布する。  ｄ）その上に先に切り取り用意しておいたパラ系アラミド繊維シート小片をたるまないようにかつまっすぐに貼り付ける。  ｅ）再度脱泡ローラー刷毛を使って貼り終わった小片全表面に含浸樹脂を浸み込むように塗布する、という手順となる。  多層貼りの場合は、このｃ）からｅ）までを繰り返すこととなる。
【実施例２】
【００２２】
次に、本発明の実施例２について図３、図４並びに図５を用いて説明する。  図３は高強度繊維シートを一般用途のテーブルＣに適用してその耐震性能を向上させた例である。  解り易くするために図３は該テーブルを斜め下方から見た図としてある。  実施例１と同様に強度の要求される部分にその形に合せて高強度繊維シートを切り取り高強度繊維シート小片１２ａ、１２ｂ、１２ｃ、１２ｄ及び１３として要所に貼付け固定している。  高強度繊維シート小片１２ａ、１２ｂ、１２ｃ及び１２ｄを貼る部分を斜線部などとして示す。  脚１１は座屈を防止する目的があるため脚３全体が隠れるように脚３の全表面に高強度繊維シート小片１２ａ、１２ｂ及び１２ｃを貼っている。  高強度繊維シート小片１２ｂ及び１２ｃは幕板１０ａや１０ｂの下面にもつながりコの字型になるように貼り、脚３と天板９を支える幕木１０ａ及び１０ｂの接合部分の両方の補強の役割を果たしている。  天板９の補強には高強度繊維シート小片１２ｄをその下面に数箇所貼って補強している。
【００２３】
この他の部位に高強度繊維シートを貼ることはさらなる耐震性能を向上させることにつながる。  いづれの場合でも高強度繊維シート小片１２ａ、１２ｂ、１２ｃ、１２ｄおよび１３を貼る場合は弛みやヨレのないようにまっすぐに貼ることが重要である。
【００２４】
脚１１と天板９並びに幕板１０ａ、１０ｂとの接合部に貼る接合部補強用高強度繊維シート小片１３について図４及び図５にて説明する。  これは高強度繊維シートから必要な形大きさの小片を切り取る方法の説明をも兼ねる。  図４は図３の天板９と脚１１との接合部の補強に用いるパラ系アラミド繊維シート小片を該シートから切り取るための平面図である。  実線１３ａは切れ込みを入れる部分を示し、１３ｂは山折箇所を、１３ｃは谷折箇所をそれぞれ示す。  この切り込みを入れ折り返したものが図５である。  図３をみて判るように図５で示す接合部補強用パラ系アラミド繊維シート小片１３を４つ用意し、それらをテーブルＣの脚１１、幕板１０ａ又は１０ｂ、天板９との接合部分に貼り込む。
【実施例３】
【００２５】
次に、本発明の実施例３について図６、図７並びに図８を用いて説明する。  図６は高強度繊維シートを一般的な二段ベッドＤに適用してその耐震性能を向上させた例である。  実施例１及び実施例２と同様に強度の要求される部分にその形に合せて高強度繊維シートを切り取り高強度繊維シート小片１８ａ、１８ｂ、１８ｃ、２９として要所に貼り付け固定している。  高強度繊維シート小片１８ａ、１８ｂ、１８ｃ、２９を貼る部分を斜線部として示す。  支柱１５は座屈を防止する目的があるため支柱１５全体が隠れるように支柱１５の全表面に高強度繊維シート小片１８ａ、１８ｂ、１８ｃを貼っている。  高強度繊維シート小片１８ａ、１８ｂ及び１８ｃは横木１６ａ、１６ｂ、１６ｃ及び１６ｄの下面にもつながりコの字側型になるように貼り、支柱１５と床板１４を支える横木１６ａ、１６ｂの接合部分の両方の補強の役割を果たしている。  床板１４の補強には高強度繊維シート小片２０ａ、２０ｂをその下面に張って補強している。
【００２６】
支柱１５と床板１４並びに横木１６ａ、１６ｂとの接合部に貼る接合部補強用高強度繊維シート小片１９について図７及び図８を用いて説明する。  これは高強度繊維シートから必要な形大きさの小片を切り取る方法の説明をも兼ねる。  図７は図６の床板１４と支柱１５との接合部の補強に用いるパラ系アラミド繊維シート小片を該シートから切り取るための平面図である。  実線１９ａは切れ込みを入れる部分を示し、１９ｂは山折箇所を、図１９ｃは谷折箇所をそれぞれ示す。  この切り込みを入れ折り返したものが図８である。  図６をみて判るように図８で示す接合部補強用パラ系アラミド繊維シート小片を４つ用意し、それらを二段ベッドＤの支柱１５、横木１６ａ、１６ｂ、１６ｃ、床板１４との接合部分に貼りこむ。
【符号の説明】
【００２７】
Ａ---従来型シェルターの一例
Ｂ---実施例のシェルター（上下逆に表現）
１---天井板
１ａ---天井板の上面
１ｂ---天井板の下面
２---下板
３---柱
４---幕木
５---接合部補強材
６---接合強化金物
７---固定用ネジ
８ａ〜８ｅ---パラ系アラミド繊維シート小片
Ｃ---実施例のシェルター型テーブル（上下逆に表現）
９---天板
９ａ---天板の上面
９ｂ---天板の下面
１０ａ、１０ｂ---幕板
１１---脚
１２ａ---脚補強用パラ系アラミド繊維シート小片（外面用）
１２ｂ---脚及び幕木下側パラ系アラミド繊維シート小片（コの字形短辺用）
１２ｃ---脚及び幕木下側パラ系アラミド繊維シート小片（コの字形長辺用）
１２ｄ---天板下面側補強用パラ系アラミド繊維シート小片
１３---接合部補強用パラ系アラミド繊維シート小片
１３ａ---接合部補強用パラ系アラミド繊維シート小片の切断箇所
１３ｂ---接合部補強用パラ系アラミド繊維シート小片の山折箇所
１３ｃ---接合部補強用パラ系アラミド繊維シート小片の谷折箇所
Ｄ---実施例のシェルター型二段ベッド
１４---床板
１４ａ---床板の上面
１４ｂ---床板の下面
１５---支柱
１６ａ〜１６ｅ---横木
１７---補助支柱
１８ａ---支柱補強用パラ系アラミド繊維シート小片
１８ｂ---床板補強用パラ系アラミド繊維シート小片（短辺用）
１８ｃ---床板補強用パラ系アラミド繊維シート小片（長辺用）
１９---接合部補強用パラ系アラミド繊維シート小片
１９ａ---接合部補強用パラ系アラミド繊維シート小片の切断箇所
１９ｂ---接合部補強用パラ系アラミド繊維シート小片の山折箇所
２０ａ---床板下面側補強用パラ系アラミド繊維シート小片（短辺用）
２０ｂ---床板下面側補強用パラ系アラミド繊維シート小片（長辺用）
【図１】
2015211769.tif 000003
【図２】
2015211769.tif 000004
【図３】
2015211769.tif 000005
【図４】
2015211769.tif 000006
【図５】
2015211769.tif 000007
【図６】
2015211769.tif 000008
【図７】
2015211769.tif 000009
【図８】
2015211769.tif 000010